(57)【特許請求の範囲】
【請求項１】
支持部材に上端側で吊り下げられて建築工事および土木工事に使用する吊り階段であって、
相互にチェーンなどの吊り下用索条を介して上下方向に所定の間隔毎に連結された複数の足場床を有する吊り足場組立体と、
上下方向に隣接する前記足場床の相互間にそれぞれ配置され、上端部が上側の前記足場床に回動自在に装着され、下端部が下側の前記足場床に沿って摺動自在の複数の階段と、
前記支持部材側に設けられ、前記複数の足場床のうち下端側の足場床に連結されたワイヤロープなどの巻き上げ用索条を巻き上げる巻き上げ手段と、
前記複数の足場床のうち少なくとも所定数の前記足場床の相互間における上下に隣り合う２つの前記足場床のうち上側の足場床に下方に突出して着脱自在に設けられる上側ストッパ部材、および下側の足場床に上方に突出して着脱自在に設けられ、かつ前記上側ストッパ部材に組付けられる下側ストッパ部材を備え、前記巻き上げ手段により巻き上げられる際における前記足場床の相互間の間隔を規制するストッパとを有し、
前記吊り足場組立体を上下方向に収縮する際には、前記巻き上げ手段により所定数の前記足場床を前記ストッパにより上下間隔が規制されるまで接近移動させるようにしたことを特徴とする吊り階段。
【請求項２】
請求項１記載の吊り階段において、前記下側ストッパ部材と前記上側ストッパ部材の一方を他方の内部に摺動自在に嵌合させることを特徴とする吊り階段。
【発明の詳細な説明】
【０００１】
【発明の属する技術分野】
本発明は建築工事および土木工事を行う際に吊り下げられた状態で使用する吊り階段に関し、特に地中に立て坑を構築する際に適用して有用なものである。
【０００２】
【従来の技術】
たとえば、地中に立て坑を構築する際には、地表面あるいは地下一階程度の地上側面の位置に取り付けられた支持部材に吊り階段を吊り下げて、地中の掘削面と地上側面との間で作業者が上り下りするようにしている。また、地中に立て坑を構築する場合のみならず、中層ないし高層の建物や橋梁などの建築物を建築する際にも、建築途中の建築物の上部に吊り階段を吊り下げることにより、地表面から建築物の任意の階に対して作業者が上り下りする場合にも、吊り階段が使用されている。
【０００３】
このような用途に使用される吊り階段としては、複数の長方形の足場床をチェーンにより所定の間隔毎に連結して吊り足場組立体を組み立て、それぞれの足場床の間に階段を配置するようにしたものがあり、たとえば、スーパーラダーという商品名で販売されている仮設用の吊り階段が知られている。
【０００４】
【発明が解決しようとする課題】
地中に立て坑を掘削する場合などの土木作業にあっては、掘削面が堀り進むにしたがって、吊り階段をその最下段に足場床を継ぎ足して吊り階段を増設することにより長くすることができる。これにより、立て坑の深さがたとえば１０ｍから数１０ｍ程度となる場合にも、吊り階段は立て坑の深さに対応するような長さに継ぎ足されることになる。
【０００５】
吊り階段の最下段の足場床は、掘削面との間で作業者が上り下りするためには、吊り下げられた状態の吊り階段の最下段の位置はなるべく掘削面に近くに位置させることが望ましいが、掘削面をバックフォーなどの掘削機械を用いて掘削する際には、吊り階段が邪魔となる。このため、従来では、吊り階段を吊り上げたり、吊り階段を別の場所に移動させるようにしているが、長くなった吊り階段を移動することは容易な作業ではなく、しかも、吊り階段を吊り上げる場合には、階段や手摺を外さなければならず、掘削作業の作業性を向上させる上で、吊り階段の下方の掘削空間を確保することがネックとなっている。
【０００６】
本発明の目的は、吊り階段を使用しないときには吊り階段の下方の作業位置から容易に移動し得るようにすることにある。
【０００７】
【課題を解決するための手段】
本発明の吊り階段は、支持部材に上端側で吊り下げられて建築工事および土木工事に使用する吊り階段であって、相互にチェーンなどの吊り下用索条を介して上下方向に所定の間隔毎に連結された複数の足場床を有する吊り足場組立体と、上下方向に隣接する前記足場床の相互間にそれぞれ配置され、上端部が上側の前記足場床に回動自在に装着され、下端部が下側の前記足場床に沿って摺動自在の複数の階段と、前記支持部材側に設けられ、前記複数の足場床のうち下端側の足場床に連結されたワイヤロープなどの巻き上げ用索条を巻き上げる巻き上げ手段と、前記複数の足場床のうち少なくとも所定数の前記足場床の相互間における上下に隣り合う２つの前記足場床のうち上側の足場床に下方に突出して着脱自在に設けられる上側ストッパ部材、および下側の足場床に上方に突出して着脱自在に設けられ、かつ前記上側ストッパ部材に組付けられる下側ストッパ部材を備え、前記巻き上げ手段により巻き上げられる際における前記足場床の相互間の間隔を規制するストッパとを有し、前記吊り足場組立体を上下方向に収縮する際には、前記巻き上げ手段により所定数の前記足場床を前記ストッパにより上下間隔が規制されるまで接近移動させるようにしたことを特徴とする。また、本発明の吊り階段は、前記下側ストッパ部材と前記上側ストッパ部材の一方を他方の内部に摺動自在に嵌合させることを特徴とする。
【０００８】
【発明の実施の形態】
以下、本発明の実施の形態を図面に基づいて詳細に説明する。
【０００９】
図１および図２は本発明の吊り階段を使用して地中に立て坑を掘削している状態を示し、図３〜図６はそれぞれ図１および図２に示された吊り階段の下端部を示す。
【００１０】
図１に示す場合には、地上や地下一階程度の地上側の部分を掘削開始面１１として、パワーシャベルやバックフォーなどの掘削機械１２を用いて地中に立て坑１３を掘削している状態を示しており、掘削が進行するに伴って堀り下げられた側面には壁面を形成する型枠１４が順次取り付けられることになる。
【００１１】
掘削作業や型枠設置作業などを行う際に、掘削開始面１１と掘削面１５との間で作業者が上り下りするため、立て坑１３内には本発明の仮設用の吊り階段１６が吊り下げられることになる。立て坑１３内への資材の搬入は、水平梁１７に設けられた図示しない昇降コンベアによって行われるようになっている。
【００１２】
図示する吊り階段１６は、掘削開始面１１上に敷設されたＨ型鋼などからなる支持部材１８により固定された最上段の足場床２１と、これの下方に複数段となって吊り下げられた７つの足場床２１とを有している。図１〜図６にあっては、符号２１ａが最上段の足場床を示し、これの下方の７つの足場床は順次下段側に向けて符号２１ｂ〜２１ｈにより示されている。掘削面１５が堀り下げられるに伴って、図示する最下段の足場床２１ｈの下側にさらに他の足場床２１が順次継ぎ足されることになる。
【００１３】
図６は図１に示された吊り階段１６の下側の３段の足場床２１ｆ〜２１ｈを示す斜視図であり、図７は図１に示された８つの足場床のうちのいずれか１つの足場床２１を示す平面図である。それぞれの足場床２１は断面四辺形の金属製の角パイプにより形成された長方形の枠体２２を有し、この枠体２２にはその幅方向中央部分に長手方向に延びる梁部材２３が取り付けられている。図示する場合には、枠体２２の長さ寸法は約３．５ｍ程度であり、幅寸法は約１．４ｍ程度となっているが、それぞれの寸法は作業場所に応じて任意の値に設定することができる。枠体２２の長手方向の一端部には梁部材２３の両側にメッシュ状の床材が取り付けられて踊り場２４が形成されている。図７において、梁部材２３の一方側のうち踊り場２４を除いた部分は開口部２５となっている。
【００１４】
枠体２２の四隅には、下方に向けて突出した脚部２６が取り付けられ、足場床２１を地面などに載置する場合にはそれぞれの脚部２６の部分で足場床２１が支持される。枠体２２の両端部の両側には、アイプレートとも言われる連結部材２７が固定されており、１つの枠体２２には合計４つの連結部材２７が固定されている。それぞれの連結部材２７には、シャックルとも言われる取付孔２８が上下に２つずつ形成されている。
【００１５】
したがって、図示するように、連結部材２７の間を吊り下げ用のチェーン２９により連結することにより、任意の数の足場床２１を上下に所定の間隔毎に連結することができ、これにより、任意の上下方向の長さとなった吊り足場組立体３１を形成することができる。図示する場合には、チェーン２９により連結されて上下に隣接し合う足場床２１の相互間の寸法は、約２ｍ程度に設定されているが、その値は任意に設定することができる。吊り下げ用索条としては、図示する場合には金属製のリングを連結して形成されたチェーン２９が使用されているが、上下に隣り合う足場床２１を連結し得るとともに足場床相互の間隔を変化させることができるものであれば、鋼製の縒り線からなるワイヤロープなどのような種々のものを使用することができる。
【００１６】
それぞれのチェーン２９には、枠体２２の両側のそれぞれに沿って上下に２本ずつ長手方向の手摺棒３２が取り付けられ、枠体の両端のそれぞれに沿って上下に２本ずつの幅方向の手摺棒３３が取り付けられている。したがって、上下に隣り合う２つの足場床２１の間には、四辺を覆うようにして手摺３２，３３が設けられることになる。
【００１７】
上下に隣接する２つの足場床の間には、それぞれ階段３４が装着されるようになっており、それぞれの階段３４は２本の支柱３５と、これらの支柱３５の間に支柱３５の上端側から下端側に向けて所定の間隔置きに取り付けられた複数の踏み板３６とを備えている。図７に示すように足場床２１に設けられた踊り場２４のうち一方側２４ａには、その足場床２１の下側に配置される階段３４の支柱３５の上端がピン３７により連結されるようになっており、支柱３５の上端部にはピン３７に係合するフック部３５ａが設けられている。その足場床２１の他方側２４ｂには、その足場床２１の上側に配置される階段３４の下端を摺動自在に案内するようになっている。
【００１８】
複数の足場床２１をチェーン２９により上下方向に所定の間隔毎に連結することにより形成される吊り足場組立体３１は、上下に隣接する足場床の相互が１８０度位相がずれた状態となって連結される。したがって、それぞれの階段３４をその支柱３５の上端部のフック部３５ａで上側の足場床２１のピン３７に対して回動自在に連結することにより、図１に示すように、吊り足場組立体３１には各段毎に逆向きとなって全体的にジグザグとなって階段３４が装着される。ただし、足場床２１としては、図示する場合のみならず、足場床２１の両端部に踊り場を有するものを使用すれば、上下方向に隣合う階段３４がジグザグとならず、相互に平行となって吊り足場組立体３１に配置することができる。
【００１９】
それぞれの枠体２２の両端面の両側には、図８に示すように連結金具３８が固定されており、１つの枠体２２に合計４つ固定された連結金具３８にはボルトなどが貫通する取付孔３９が形成されている。
【００２０】
図示する場合には、吊り足場組立体３１を構成する８つの足場床２１のうち、下側の５つの足場床２１ｄ〜２１ｈの相互間には、それぞれストッパ４０が取り付けられており、１つのストッパ４０を拡大して示すと、図９の通りである。
【００２１】
図９に示すように、ストッパ４０は上側ストッパ部材４１と下側ストッパ部材４２とからなり、上側ストッパ部材４１は断面円形の金属製のパイプにより形成され、その内径は下側ストッパ部材４２の外径より大きく設定されている。これにより、下側ストッパ部材４２を上側ストッパ部材４１の中に嵌合させて、下側ストッパ部材４２を上側ストッパ部材４１に対して上下方向に摺動させることができる。下側ストッパ部材４２は、図示する場合には、軽量化のために上側ストッパ部材４１よりも小径の金属製のパイプにより形成されているが、中実の棒材を下側ストッパ部材４２として使用するようにしても良い。また、それぞれのストッパ部材４１，４２を断面四角形のパイプを使用するようにしても良い。
【００２２】
上側ストッパ部材４１の上端部には、取付孔４３を有するジョイント部４４が設けられており、下側ストッパ部材４２の下端部には、取付孔４５とこれから外方に離れた位置の連結孔４６とを有するジョイント部４７が設けられている。
【００２３】
下側の５つの足場床２１ｄ〜２１ｈにおいては、上下に相互に隣り合う２つの足場床のうち、上側に位置する足場床の連結金具３８に上側ストッパ部材４１のジョイント部４４が連結され、下側に位置する足場床の連結金具３８に下側ストッパ部材４２のジョイント部４７が連結されている。ジョイント部４４と連結金具３８は、それぞれの取付孔４３，３９に図９に示すボルト４８を貫通させてナット４８ａを締め付けることにより連結され、ボルト４８を外すことにより上側ストッパ部材４１は足場床２１から取り外すことができる。ジョイント部４７と連結金具３８は、それぞれの取付孔４５，３９に図９に示すボルト４９を貫通させてナット４９ａを締め付けることにより連結され、ボルト４９を外すことにより下側ストッパ部材４２を足場床２１から取り外すことができる。これらの連結が行われる際に、下側ストッパ部材４２は上側ストッパ部材４１の中に嵌合される。したがって、最下段の足場床２１ｈの４つの連結金具３８には、下側ストッパ部材４２のみが連結され、それよりも上段側の足場床２１ｅ〜２１ｇには、下側ストッパ部材４２と上側ストッパ部材４１とがそれぞれ連結されることになり、足場床２１ｄには上側ストッパ部材４１のみが連結されることになる。
【００２４】
最下段の足場床２１ｈに連結された下側ストッパ４２のジョイント部４７に設けられた連結孔４６にはそれぞれ、図１に示すように、支持部材１８に取り付けられた電動ウインチなどの巻き上げ機５１により巻き上げられるワイヤロープ５２が巻き上げ用の索条として連結されるようになっている。巻き上げ機５１は、最下段の足場床２１ｈの両端部に対応させて支持部材１８に２つ取り付けられている。
【００２５】
したがって、それぞれの巻き上げ機５１によって最下段の足場床２１ｈをその四隅の部分で巻き上げて水平状態に保持しながら上昇させると、まず、その上側の足場床２１ｇに向けて足場床２１ｈが上昇することになる。その上昇限位置は、図２に示すように、上側ストッパ部材４１の下端面が下側ストッパ部材４２の下端部に当接する位置で規制されることになり、これにより両方の足場床２１ｈと２１ｇとの間の相互間の間隔が規制される。さらに巻き上げ機５１によりワイヤ５２を巻き上げると、足場床２１ｇがその上側の足場床２１ｆに向けて上昇することになり、その足場床２１ｆに対する上昇限位置は同様してストッパ４０により規制されることになる。このようにして、吊り足場組立体３１の下側４つの足場床２１ｅ〜２１ｈが上昇した状態を示すと、図２の通りである。下側の足場床が上側の足場床に対して上昇するストロークは、図示する場合には約９０ｃｍ程度に設定されているが、この値は任意に設定することができる。
【００２６】
図示する場合には、巻き上げ用索条としてワイヤロープ５２が使用されているが、チェーンを用いるようにしても良い。また、巻き上げ機５１は最上段の足場床２１ａを支持する支持部材１８に取り付けられているが、地上側に設けられた支持部材であれば、どのような部材に取り付けるようにしても良い。また、ストッパ４０は、上側ストッパ部材４１が下側ストッパ部材４２よりも大径となっているが、下側ストッパ部材４２を大径としてその中に上側ストッパ４１が嵌合されるようにしても良い。
【００２７】
下側の足場床がその上側の足場床に対して上昇移動する際には、下側の足場床が上昇すると、その上側の足場床に対してピン３７により回動自在に連結された階段３４は、ピン３７を中心として回動し、階段３４の下端は足場床に沿って移動することになる。階段３４の下端が円滑に移動するように、足場床のうち階段３４の下端が接触する部分には、図７に示すように案内部材５３が取り付けられている。
【００２８】
このように、所定の数の足場床を上昇させると、図２に示すように、作業面つまり掘削面１５に対して吊り足場組立体３１の最下段の足場床２１ｈを上方に退避させることができ、足場床２１ｈの下面と作業面との間に大きな空間を形成することができ、掘削機械１２を用いて掘削面１５を掘削作業する際に、吊り階段１６が邪魔になることがなく、その作業を円滑に行うことができる。
【００２９】
図７に示した案内部材５３は階段３４の支柱３５の下端面に接触する帯状の部材により形成されているが、図８に示すように、支柱３５の下端部の摺動方向に沿って延び、案内溝５４が形成されたガイドレール５５により案内部材５３を形成するようにしても良い。この場合には、支柱３５の下端部にボルトなどの部材を取り付けるとともに、ボルトを案内溝５４に係合させることにより、階段３４を足場床の間に配置することができる。
【００３０】
次に、上述した吊り階段１６を使用して地中に立て坑１３を掘削構築する手順について説明する。
【００３１】
足場床２１やチェーン２９などの吊り足場組立体３１を構成するそれぞれの部材が作業現場に搬送され、現場において吊り階段１６の組立が行われる。
【００３２】
所定の深さにまで掘削面１５が掘削された状態のもとで、支持部材１８に最上段の足場床２１ａを固定し、これの下方に足場床２１ｂをチェーン２９により連結する。このようにして、所定の数の足場床が連結されて吊り足場組立体３１が組み立てられた状態で、それぞれの足場床に階段３４を配置する。その際には、階段３４の支柱３５の上端部に設けられたフック３５ａを足場床に設けられたピン３７に引っ掛け、支柱３５の下端面を案内部材５３の上で支持させる。作業者は吊り階段１６を使用して掘削開始面１１と掘削面１５との間を上り下りすることができ、型枠１４の取付け作業や掘削作業が作業者により行われる。
【００３３】
図１は吊り階段１６が使用されて作業者が上り下りすることができる状態を示しており、掘削機械１２を使用して掘削作業が行われる場合には、吊り階段１６が邪魔となる。その際には、吊り階段１６のうち下側から所定の数の足場床２１に対してストッパ４０が装着され、下端側の足場床にワイヤロープ５２が連結される。図１に示す場合には、下側から５つの足場床の相互間にストッパ４０を装着した状態が示されている。
【００３４】
このようにして、ストッパ４０が取り付けられた状態のもとで、巻き上げ機５１によりワイヤロープ５２を巻き上げると、図２に示すように、下側から４つの足場床２１ｅ〜２１ｈがそれぞれ上側の足場床に向けて上昇接近移動することになる。図２に示すように、吊り足場組立体３１を収縮させることにより、掘削面１５の上側から吊り階段１６を退避移動させることができ、掘削作業を容易に行うことができる。ストッパ４０の収縮ストロークをたとえば９０ｃｍとすれば、図示する場合には吊り足場組立体３１の収縮ストロークは３．６ｍとすることができ、下側から５つの足場床をそれぞれの上側の足場床に対して上昇移動させるようにすれば、４．５ｍのストロークで吊り足場組立体３１を収縮させることができる。
【００３５】
吊り足場組立体３１を構成する複数の足場床２１のうち、図示するように、下側の所定の数の足場床２１を上昇移動させて収縮するようにしたので、足場床２１を１０段あるいはそれ以上連結して吊り階段１６の長さがかなりの長さとなっていても、収縮移動させるのは、下側の部分のみで良く、収縮移動させる際における巻き上げ機５１の負荷を高める必要がない。
【００３６】
所定の掘削作業により掘削面１５が下がった後に、吊り階段１６の下端に他の足場床を継ぎ足して吊り階段１６の全長を長くする。その際には、図１に示すように、吊り階段１６を元の状態にまで延ばした状態で継ぎ足し作業を行うことになる。
【００３７】
本発明は前記実施の形態に限定されるものではなく、その要旨を逸脱しない範囲で種々変更可能であることはいうまでもない。
【００３８】
たとえば、図示する場合には、吊り階段１６の吊り足場組立体３１を収縮させる際には、最下段から５つの足場床の相互間にストッパ４０を装着するようにしたが、収縮させるストロークに応じて任意の足場床相互間にストッパ４０を装着することができる。また、最下段側の足場床ではなく、吊り足場組立体３１の中間側の所定の数足場床相互間にストッパを装着し、その部分を収縮させるようにしても良く、あるいは全ての足場床相互間にストッパを装着するようにしても良い。また、図示する場合には、本発明の吊り階段を掘削された立て抗に使用した場合を示すが、中層や高層の建物や橋梁などの建築物を建築する際にも本発明の吊り階段を使用することができる。
【００３９】
【発明の効果】
本発明によれば、所定の長さとなって吊り下げられた吊り階段を収縮させることができるので、吊り階段の下方の作業面から吊り階段の下面を退避移動させることができる。吊り階段の下方における作業を吊り階段を外したり、全体を水平移動させることなく、容易に吊り階段の下方の作業空間を確保することができ、吊り階段の下方における作業を迅速に行うことができる。
【図面の簡単な説明】
【図１】吊り階段を立て抗に吊り下げた状態を示す断面図である。
【図２】吊り階段を収縮移動させて、掘削面と吊り階段の最下面との間に作業空間を形成した状態を示す断面図である。
【図３】図１の吊り階段の下端部を拡大して示す正面図である。
【図４】図３の側面図である。
【図５】吊り階段を収縮移動させた状態における図３と同様の部分を示す正面図である。
【図６】図３の斜視図である。
【図７】１つの足場床を示す平面図である。
【図８】１つの足場床の端部を拡大して示す斜視図である。
【図９】ストッパを示す分解斜視図である。
【符号の説明】
１１  掘削開始面
１２  掘削機械
１３  立て坑
１５  掘削面
１６  吊り階段
２１  足場床
２１ａ〜２１ｈ  足場床
２２  枠体
２３  梁部材
２４  踊り場
２５  開口部
２６  脚部
２７  連結部材
２８  取付孔
２９  チェーン
３１  吊り足場組立体
３２，３３  手摺棒
３４  階段
３５  支柱
３６  踏み板
３８  連結金具
４０  ストッパ
４１  上側ストッパ部材
４２  下側ストッパ部材
４４  ジョイント部
４５  取付孔
４６  連結孔
４７  ジョイント部
５１  巻き上げ機
５２  ワイヤロープ
５３  案内部材
５４  案内溝
５５  案内部材
【図１】
0004011722.tif 000002
【図２】
0004011722.tif 000003
【図３】
0004011722.tif 000004
【図４】
0004011722.tif 000005
【図５】
0004011722.tif 000006
【図６】
0004011722.tif 000007
【図７】
0004011722.tif 000008
【図８】
0004011722.tif 000009
【図９】
0004011722.tif 000010